(57)【要約】【課題】高いポンプ効率を有することが可能なポンプのガイドベーン及びポンプ装置を提供すること。【解決手段】ポンプ装置１のインペラ２０により増圧された流体を次段のインペラ２０に案内するガイドベーン４０を、円盤状の取付板４１と、取付板４１の一方の主面４１ａに設けられ、互いに隣り合う間隔が、取付板４１の外周側から中心側に向かって漸次狭くなる複数のベーン４２と、ベーン４２間に設けられた副ベーン４６と、を備える構成とする。【選択図】図２
2015028314.tif 000002
【特許請求の範囲】
【請求項１】
インペラにより増圧された流体を次のインペラに案内するガイドベーンにおいて、
円盤状の取付板と、
前記取付板の一方の主面に設けられた複数のベーンと、
隣り合う前記ベーン間に設けられた副ベーンと、
を備えることを特徴とするガイドベーン。
【請求項２】
前記ベーンは、前記取付板の外周側から前記中心側に向かって円弧状に延設され、
前記副ベーンは、前記ベーンと平行に、前記取付板の外周側から前記中心側に向かって円弧状に延設されることを特徴とする請求項１に記載のガイドベーン。
【請求項３】
前記副ベーンは、前記隣り合うベーンの前記外周側の端部よりも前記中心側に配置されることを特徴とする請求項２に記載のガイドベーン。
【請求項４】
前記副ベーンは、その内径側の側面と、前記内径側の側面と対向する前記ベーンの外径側の側面とが、所定の距離以上離間して前記ベーン間に配置されることを特徴とする請求項２又は請求項３に記載のガイドベーン。
【請求項５】
前記取付板の他方の主面に、さらに、案内ベーンを備えることを特徴とする請求項１に記載のガイドベーン。
【請求項６】
モータと、
前記モータにより回転する回転軸と、
前記回転軸の回転に伴って回転することで流体を増圧する複数のインペラと、
前記インペラを収納するポンプケーシングと、
円盤状の取付板、前記取付板の一方の主面に設けられた複数のベーン、及び、隣り合う前記ベーン間に設けられた副ベーンを具備するガイドベーンと、
を備えることを特徴とするポンプ装置。
【請求項７】
前記ベーンは、前記取付板の外周側から前記中心側に向かって円弧状に延設され、
前記副ベーンは、前記ベーンと平行に、前記取付板の外周側から前記中心側に向かって円弧状に延設されることを特徴とする請求項６に記載のポンプ装置。
【請求項８】
前記副ベーンは、前記隣り合うベーンの前記外周側の端部よりも前記中心側に配置されることを特徴とする請求項６に記載のポンプ装置。
【請求項９】
前記副ベーンは、その内径側の側面と、前記内径側の側面と対向する前記ベーンの外径側の側面とが、所定の距離以上離間して前記ベーン間に配置されることを特徴とする請求項６又は請求項７に記載のポンプ装置。
【請求項１０】
前記取付板の他方の主面に、さらに、案内ベーンを備えることを特徴とする請求項６に記載のポンプ装置。
【発明の詳細な説明】
【技術分野】
【０００１】
本発明は、流体を案内するガイドベーン及びガイドベーンを有するポンプ装置に関する。
【背景技術】
【０００２】
液体を供給するポンプ装置として、複数のインペラ及びケーシングを積層させた多段ポンプをモータで駆動させるものが知られている。このようなポンプ装置は、高揚程及び高効率の要望が高い。このため、ケーシング内に、インペラの外周側の吐出口から次段のインペラの中央側の吸込口へと流体を案内するガイドベーンを備え、インペラとガイドベーンを通過させることで、漸次流体を増圧させるポンプ装置が知られている（例えば、特許文献１参照）。
【先行技術文献】
【特許文献】
【０００３】
【特許文献１】特開２００９−２２１９８７号公報
【発明の概要】
【発明が解決しようとする課題】
【０００４】
上述したポンプ装置では、以下の問題があった。即ち、ポンプ装置は、インペラの数を増加させることにより、高揚程とすることが可能となるが、インペラの数を増加させると、ポンプ及びモータの大型化、製造コストの増大、及び、駆動軸長の増加による騒音の増大等の問題が発生する虞がある。また、インペラの数を増加させることにより、高揚程とはなっても、ポンプ効率の低下が低下する虞もある。このため、ポンプ装置は、さらなるポンプ効率の向上が求められている。
【０００５】
そこで、本発明は、ポンプ効率を向上可能なポンプのガイドベーン及びポンプ装置を提供することを目的としている。
【課題を解決するための手段】
【０００６】
前記課題を解決し目的を達成するために、本発明のガイドベーン及びポンプ装置は次のように構成されている。
【０００７】
本発明の一態様のガイドベーンは、インペラにより増圧された流体を次のインペラに案内するガイドベーンにおいて、円盤状の取付板と、前記取付板の一方の主面に設けられた複数のベーンと、隣り合う前記ベーン間に設けられた副ベーンと、を備える。
【０００８】
本発明の一態様のポンプ装置は、モータと、前記モータにより回転する回転軸と、前記回転軸の回転に伴って回転することで流体を増圧する複数のインペラと、前記インペラを収納するポンプケーシングと、円盤状の取付板、前記取付板の一方の主面に設けられた複数のベーン、及び、隣り合う前記ベーン間に設けられた副ベーンを具備するガイドベーンと、を備える。
【発明の効果】
【０００９】
本発明によれば、ポンプ効率を向上可能なポンプのガイドベーン及びポンプ装置を提供することが可能となる。
【図面の簡単な説明】
【００１０】
【図１】本発明の第１の実施形態に係るポンプ装置の構成を示す断面図。
【図２】同ポンプ装置の要部構成を示す断面図。
【図３】同ポンプ装置の要部構成を示す平面図。
【図４】本発明の第２の実施形態に係るポンプ装置の構成を示す断面図。
【図５】同ポンプ装置の要部構成を示す断面図。
【図６】同ポンプ装置の要部構成を示す平面図。
【発明を実施するための形態】
【００１１】
（第１の実施形態）
以下、本発明の第１の実施形態に係るポンプ装置１を、図１乃至図３を用いて説明する。  
図１は本発明の第１の実施形態に係るポンプ装置１の構成を一部外観から示す断面図、図２は同ポンプ装置１のポンプ５の構成を拡大して示す断面図、図３はポンプ５のガイドベーン４０の構成を示す平面図である。なお、図１中Ｆは水の流れを示す。
【００１２】
図１に示すようにポンプ装置１は、例えば、縦型の多段ポンプであり、使用流体は水等が用いられる。このようなポンプ装置１は、モータ２と、このモータ２に接続された第１連結部材３と、第１連結部材３に接続された第２連結部材４と、この第２連結部材４に接続されたポンプ５と、モータ２に第１連結部材３及び第２連結部材４を介して接続された回転軸６と、を備えている。
【００１３】
モータ２は、固定子と、回転子と、回転子の回転力を外部に伝達可能なモータ軸２ａと、を有する。モータ２は、例えばＤＣモータが用いられる。
【００１４】
第１連結部材３は、円筒状の軸受ケース１１と、この軸受ケース１１内に設けられた第１継手１２と、第１継手１２を軸支する複数（図１中３つ）の軸受１３と、軸受１３を軸受ケース１１に回転自在に支持する固定具１４と、を備えている。
【００１５】
第１継手１２は、２つの異なる外径を有する円筒体に形成されており、モータ２側に大径部が、ポンプ５側に小径部が配置されるよう、軸受ケース１１内に収納されている。第１継手１２は、その大径部側でモータ軸２ａに固定され、モータ軸２ａの回転に伴って回転可能に形成されている。第１継手１２は、その回転を、駆動体である後述する第２連結部材４の第２継手１６に伝達可能な伝達部１５を小径部側に有している。なお、伝達部１５は、モータ軸２ａと略同一径に形成され、伝達部１５の小径部側の端面に設けられる。
【００１６】
第２連結部材４は、第２継手１６と、この第２継手１６をその内部に収納する継手ケース１７と、を備えている。
【００１７】
第２継手１６は、一対の半円筒部材１６ａを有し、ボルト等により一対の半円筒部材１６ａを一体に結合することで円筒状に組立可能に形成されている。また、第２継手１６は、半円筒部材１６ａを円筒状に組立てることで、伝達部１５及び回転軸６を固定可能に形成されている。
【００１８】
第２継手１６による伝達部１５の固定方法は、例えば、伝達部１５にキーを、第２継手１６の一方にキー溝を設け、キーにより固定する。第２継手１６による回転軸６の固定方法は、例えば、第２継手１６の他方及び回転軸６にそれぞれ孔部を設け、これら孔部にピンを嵌合させて固定する。なお、これら固定方法は他の方法であってもよく、適宜設定可能である。
【００１９】
継手ケース１７は、軸受ケース１１を介してボルトＢによりモータ２に固定可能に形成されている。継手ケース１７は、後述するポンプ５の吐出流路部６４の上端側を閉塞することで、ポンプ５の外郭部材の一部を構成する。継手ケース１７は、回転軸６を挿通させる挿通孔１８を有する。また、継手ケース１７は、挿通孔１８と回転軸６との間に、当該挿通孔１８と回転軸６との間を軸封するメカニカルシール１９が設けられる。
【００２０】
ポンプ５は、回転軸６と、この回転軸６に固定された複数のインペラ２０と、インペラ２０を収納するとともに、互いに積層された複数のポンプケーシング３０と、ポンプケーシング３０に一体に設けられたガイドベーン４０と、インペラ２０及びポンプケーシング３０の間に設けられたライナリング５０と、回転軸６及びポンプケーシング３０の間に設けられた軸受部材５１とを備えている。
【００２１】
ポンプ５は、最下段のポンプケーシング３０に接続され、吸込口部６１及び吐出口部６２を形成する流路カバー６０と、複数のポンプケーシング３０の外周を覆うとともに、ポンプケーシング３０の最上段から吐出口部６２まで流路を形成する円筒状の吐出流路部６４とを備えている。
【００２２】
流路カバー６０、吐出流路部６４及び継手ケース１７は、ポンプ５の外郭部材を構成する。なお、流路カバー６０の吸込口部６１は、ポンプケーシング３０への流路を形成し、吐出口部６２は、最上段のポンプケーシング３０と吐出流路部６４介して連続する流路を形成する。
【００２３】
インペラ２０は、例えばステンレスや樹脂等で形成されている。インペラ２０は、一対のシュラウド２１，２２と、一対のシュラウド２１，２２間に設けられた複数の羽根２３と、を備えている。インペラ２０は、シュラウド２１，２２及び羽根２３の外周側に設けられた吐出口２４と、一方（図１中下方）のシュラウド２１の中央側に設けられた吸込口２５と、を有している。
【００２４】
ポンプケーシング３０は、例えばステンレスで形成され、底部３０ａを有する椀状に形成されている。ポンプケーシング３０は、その上面にシール溝３１が設けられた係合部３２と、底部３０ａの外周端に係合部３２と係合する被係合部３３が、形成されている。
【００２５】
ポンプケーシング３０は、互いに係合部３２及び被係合部３３がＯリング等のパッキンＳを介して係合することで、互いに積層される。底部３０ａは、その中心に、回転軸６及びインペラ２０のシュラウド２１の一部を挿通させる開口部３５と、開口部３５に設けられ、ライナリング５０が設けられる円環状の嵌合溝３６と、を備えている。
【００２６】
ガイドベーン４０は、ポンプケーシング３０の底部３０ａに設けられ、当該底部３０ａと対向するポンプケーシング３０にインペラ２０と共に収納される。即ち、ガイドベーン４０は、固定されるポンプケーシング３０の下段（前段）のポンプケーシング３０内に配置され、インペラ２０と次段のインペラ２０との間に位置する。ガイドベーン４０は、インペラ２０から圧送された流体を、次段のインペラ２０の吸込口２５へと案内する流路を形成する。
【００２７】
ガイドベーン４０は、取付板４１と、複数のベーン４２と、複数の副ベーン４６と、を備えている。取付板４１は、円盤状に形成されている。取付板４１は、その中心側に、回転軸６を挿通させる挿通孔４３と、挿通孔４３に設けられ、軸受部材５１の一部が設けられる円環状の嵌合溝４４と、を備えている。取付板４１は、その外周側から中心側に向かって、その厚みが漸次厚くなるように、その外周側から中心側に向かって傾斜して形成されている。
【００２８】
ベーン４２は、図３に示すように、上面視で取付板４１の外周側から中心側に向かって円弧状に取付板４１の主面４１ａ上に形成され、隣り合うベーン４２間の隙間が、取付板４１の外周側から中心側に向かって漸次狭くなるように、取付板４１に等間隔に配置される。
【００２９】
副ベーン４６は、取付板４１上に複数設けられ、且つ、隣り合うベーン４２間に単数又は複数設けられる。具体的には、図３に示すように、副ベーン４６は、上面視で取付板４１の外周側であって、且つ、隣り合う取付板４１の端部を通る直線（以下、「連結線」）Ｄ上から中心側に向かってベーン４２と平行な円弧状に取付板４１の主面４１ａ上に形成される。なお、副ベーン４６は、一方の端部が、連結線Ｄ上又は連結線Ｄよりも取付板４１の中心側であればよい。
【００３０】
また、副ベーン４６は、その内径側の側面と、当該側面と対向するベーン４２の外径側の側面との距離Ｍが、所定の距離、例えば当該副ベーン４６に隣接するベーン４２間の距離Ｌの１／４以上離間するようにベーン４２間に配置される。
【００３１】
なお、隣り合うベーン４２間を移動する際に、当該ベーン４２間の流路であって、内径側が当該流路内に位置するベーン４２側の流れが大きくなる。換言すると、当該ベーン４２間において、その流量が異なる。
【００３２】
このため、副ベーン４６は、当該流れが比較的大きい位置に配置することが好ましく、ベーン４２間の距離Ｌに対して、隣接するベーン４２の外径側の側面の距離Ｍが１／４以上であれば、当該流量が大きい位置となる。なお、ガイドベーン４０の形状や、ベーン４２及び副ベーン４６の羽根の数により、当該配置する距離Ｍは、適宜設定可能である。
【００３３】
このようなガイドベーン４０は、ポンプケーシング３０の下面、取付板４１及び隣り合うベーン４２によりインペラ２０から圧送された水の流路を複数形成する。ガイドベーン４０は、ポンプケーシング３０の下面、取付板４１及び隣り合うベーン４２により、その外周側に形成される流路の流入口からガイドベーン４０内に進入する水を、ベーン４２及び副ベーン４６により整流可能に形成されている。
【００３４】
また、ガイドベーン４０は、当該下段のポンプケーシング３０内においてインペラ２０により圧送された流体を、取付板４１及びベーン４２間に形成される流路を通過させて、次段のポンプケーシング３０のインペラ２０に案内可能に形成されている。
【００３５】
ライナリング５０は、嵌合溝３６に配置され、樹脂やＣＡＣ系の銅合金等により形成された円環状のライナリング本体５３と、嵌合溝３６に圧入され、ライナリング本体５３を覆うカバー５４とを備えている。
【００３６】
ライナリング本体５３は、嵌合溝３６にカバー５４を圧入した際に、カバー５４の内周面に略同一となる外周径であって、インペラ２０の吸込口２５側の外周面と所定の微小隙間を形成する内周径を有している。
【００３７】
カバー５４は、例えば、その断面形状が側面が円弧状のＬ字状に形成されている。また、カバー５４の外周径は、嵌合溝３６の内径よりも少し大きな径に形成されている。カバー５４は、嵌合溝３６に嵌合されることで、ライナリング本体５３の嵌合溝３６からの脱離を防止する。
【００３８】
軸受部材５１は、スリーブ５５と、軸受部（軸受）５６と、止め輪５７と、を備えている。スリーブ５５は、例えばＳｉＣ系のセラミックにより円筒状に成型されている。スリーブ５５は、回転軸６に嵌合することで固定されている。
【００３９】
スリーブ５５は、その内径が、回転軸６に嵌合可能に、回転軸６の外径と略同一に形成されている。また、スリーブ５５は、貫通孔３７の内径よりその外径が小さく形成されている。
【００４０】
軸受部５６は、例えばＳｉＣ系のセラミックによりその内径が挿通孔４３の内径より小径の円筒状に形成され、その内周面がスリーブ５５と摺接可能に形成されている。軸受部５６は、その内周径が、スリーブ５５の外周面と接触可能、且つ、摺動可能に形成されている。軸受部５６は、スリーブ５５が軸受部５６の内周面を滑らかに回転可能に形成されることで、回転軸６を軸支可能に形成されている。
【００４１】
即ち、軸受部５６は、スリーブ５５及び軸受部５６の隙間（寸法公差）が、スリーブ５５の回転時に摺動可能であって、齧り付きが防止可能、且つ、回転軸６の回転時に偏心やぶれが生じない所定の隙間に形成されている。また、軸受部５６は、嵌合溝４４に係合される。なお、軸受部５６には回転軸６との供回りを防止する防止手段が設けられている。
【００４２】
止め輪５７は、ポンプケーシング３０と熱膨張率（熱膨張係数）が略同一となるように、例えば同一材料のステンレス材で形成され、その断面が方形のリング状に形成されている。止め輪５７は、軸受部５６を覆うように、嵌合溝４４にしまりばめ等の方法を用いて嵌合される。
【００４３】
このように構成されたポンプ装置１では、モータ２によりモータ軸２ａが回転すると、モータ軸２ａから、第１連結部材３及び第２連結部材４を介して回転軸６が回転（駆動）する。回転軸６の回転に伴って、回転軸６に固定されているインペラ２０も追従して回転する。
【００４４】
インペラ２０が回転すると、インペラ２０の吸込口２５から水が吸込まれ、当該吸込まれた水は、インペラ２０の羽根２３により増圧されるとともに、インペラ２０の吐出口２４からポンプケーシング３０内に吐出される。
【００４５】
当該ポンプケーシング３０内に吐出された水は、同ポンプケーシング３０内に位置するガイドベーン４０に移動し、当該ガイドベーン４０により、次段のポンプケーシング３０に収納されたインペラ２０の吸込口２５に案内されることとなる。
【００４６】
具体的に説明すると、ガイドベーン４０の主面４１ａ及び複数のベーン４２により形成される複数の流路に沿って水が移動する。当該流路は、ベーン４２と副ベーン４６間の幅が主面４１ａの外周側から中心側に向かって漸次狭くなるため、その流路面積が漸次小となる。この流路形状により、流路に移動した水は、その流速が増加するとともに、整流されながら、インペラ２０の吸込口２５へと移動することとなる。
【００４７】
また、副ベーン４６は、その内径側に隣接するベーン４２の外径側の側面から、ベーン４２間の流れが大きい位置となる所定の距離だけ離間して配置されるため、ガイドベーン４０内に移動し、次段（二次側）のインペラ２０へ整流した水を案内することが可能となる。これにより、インペラ２０においては、流れが安定した水を増圧し、当該増圧により乱れた水をガイドベーン４０により整流することが可能となる。
【００４８】
このように構成されたポンプ装置１によれば、ガイドベーン４０の取付板４１であって、隣接するベーン４２間に、単数又は複数の副ベーン４６を設ける構成とすることで、水の整流が可能となる。
【００４９】
また、副ベーン４６は、取付板４１の外周縁から内側であって、少なくとも隣接するベーン４２の端部を連続する連続線Ｄの延長上から設けることで、ベーン４２間により形成される流入口の開口面積を低減させることがない。即ち、副ベーン４６は、取付板４１の流入口よりも中心側に配置される。このため、ベーン４２間により形成される流入口において、副ベーン４６を流路抵抗とすることを極力防止することが可能となる。
【００５０】
さらに、副ベーン４６は、その内径側の側面と対向するベーン４２の外径側の側面から所定の距離以上離間させて配置することで、ベーン４２間の水の流れの比較的大きい位置に配置されるため、より効果的に整流することが可能となる。
【００５１】
また、ガイドベーン４０は、副ベーン４６をベーン４２間の所定の位置に設ける構成でよく、製造コストを増大させることもない。
【００５２】
上述したように本実施の形態に係るポンプ装置１によれば、副ベーン４６を、ベーン４２間であって、ガイドベーン４０の流入口よりも中心側に設け、さらに、その内径側の側面と対向するベーン４２から所定の距離以上離間させて配置することで、高い整流機能を有するとともに、流路抵抗を増大させることがない。このため、ガイドベーン４０は、ポンプ効率を向上させることが可能となる。
【００５３】
（第２の実施形態）
次に、本発明の第２の実施形態に係るポンプ装置１Ａを、図４乃至図６を用いて説明する。  
図４は本発明の第２の実施形態に係るポンプ装置１Ａの構成を一部断面で示す外観図、図５は同ポンプ装置１Ａのポンプ５Ａの構成を拡大して示す断面図、図６はポンプ５Ａのガイドベーン４０Ａの構成を示す平面図である。なお、図４及び図５中Ｆは水の流れを示す。なお、第２の実施形態に係るポンプ装置１Ａにおいて、上述した第１の実施形態に係るポンプ装置１と同様の構成には同一符号を付し、その詳細な説明は省略する。
【００５４】
図４に示すように、ポンプ装置１Ａは、例えば、横置きの多段ポンプであり、使用流体は水等が用いられる。このようなポンプ装置１Ａは、モータ２と、このモータ２に接続されたポンプ５Ａと、モータ２に連結部材３Ａを介して接続された回転軸６と、を備えている。
【００５５】
ポンプ５Ａは、モータ２のモータ軸２ａに固定された回転軸６と、この回転軸６に固定された複数のインペラ２０と、インペラ２０を収納するとともに、互いに積層された複数のポンプケーシング３０と、ポンプケーシング３０に一体に設けられたガイドベーン４０Ａと、インペラ２０及びポンプケーシング３０の間に設けられたライナリング５０と、を備えている。
【００５６】
ポンプ５Ａは、ポンプケーシング３０に接続され、吸込口部６１及び吐出口部６２を形成するとともに、吸込口部６１から吐出口部６２まで、ポンプケーシング３０を介して流路を形成する流路カバー６０Ａを備えている。また、ポンプ５Ａは、流路カバー６０Ａがポンプ５Ａの外郭部材を構成する。
【００５７】
ガイドベーン４０Ａは、ポンプケーシング３０に設けられ、ポンプケーシング３０にインペラ２０と共に収納される。ガイドベーン４０Ａは、ポンプケーシング３０内に配置され、インペラ２０と次段のインペラ２０との間に位置する。ガイドベーン４０Ａは、インペラ２０から圧送された流体を、次段のインペラ２０の吸込口２５へと案内する流路を形成する。
【００５８】
ガイドベーン４０Ａは、取付板４１と、複数のベーン４２と、複数の副ベーン４６と、案内ベーン４７と、を備えている。取付板４１は、円盤状に形成されている。取付板４１は、その中心側に、回転軸６を挿通させる挿通孔４３と、挿通孔４３に設けられ、軸受部材５１の一部が設けられる円環状の嵌合溝４４と、を備えている。取付板４１は、その外周側から中心側に向かって、その厚みが漸次厚くなるように、その外周側から中心側に向かって傾斜して形成されている。
【００５９】
取付板４１は、一方の主面４１ａ及び他方の主面４１ｂに、ベーン４２が設けられる。また、取付板４１は、その外径が、図６中二点鎖線で示すポンプケーシング３０の内周面３０ａの内径と同一径に形成されるとともに、その一部が切欠することで主面４１ａ，４１ｂ間の流路を形成可能に形成されている。
【００６０】
案内ベーン４７は、取付板４１の他方の主面４１ｂに形成される。案内ベーン４７は、図６に破線で示すように、上面視で取付板４１の中心側から外周縁に向かって円弧状に形成される。案内ベーン４７は、インペラ２０の外周縁と対向して配置され、インペラ２０から吐出された流体を整流可能に形成されている。
【００６１】
このようなガイドベーン４０Ａは、ポンプケーシング３０の下面、取付板４１、隣り合う案内ベーン４７、並びに、隣り合うベーン４２及び副ベーン４６によりインペラ２０から圧送された水の流路を複数形成する。ガイドベーン４０Ａは、ポンプケーシング３０の一方の主面、取付板４１及び隣り合う案内ベーン４７により、インペラ２０から吐出された水を、取付板４１の切欠まで整流可能に形成されている。また、ガイドベーン４０Ａは、ポンプケーシング３０の他方の主面、取付板４１及び隣り合うベーン４２，４６により、取付板４１の切欠から進入する水を、ベーン４２及び副ベーン４６により整流可能に形成されている。
【００６２】
また、ガイドベーン４０Ａは、当該下段のポンプケーシング３０内においてインペラ２０により圧送された流体を、取付板４１及びベーン４２間に形成される流路を通過させて、次段のポンプケーシング３０のインペラ２０に案内可能に形成されている。
【００６３】
このように構成されたポンプ装置１Ａによれば、上述したポンプ装置１と同様に、ガイドベーン４０Ａにより、インペラ２０から吐出された水を整流することが可能となる。
【００６４】
上述したように本実施の形態に係るポンプ装置１によれば、副ベーン４６を、ベーン４２間であって、ガイドベーン４０Ａの流入口よりも中心側に設け、さらに、その内径側の側面と対向するベーン４２から所定の距離以上離間させて配置することで、高い整流機能を有するとともに、ポンプ効率を向上させることが可能となる。
【００６５】
なお、本発明は前記実施の形態に限定されるものではない。例えば、上述した例では、ベーン４２間に副ベーン４６を単数用いた例を示したが、上述したように、ベーン４２間に副ベーン４６を２枚以上設ける構成であってもよい。
【００６６】
また、上述した例では、ガイドベーン４０を、ポンプケーシング３０の下段に設ける構成としたが、例えば、ポンプケーシング３０とガイドベーン４０とを一体とする構成であってもよい。この他、本発明の要旨を逸脱しない範囲で種々変形実施可能である。
【符号の説明】
【００６７】
１…ポンプ装置、２…モータ、２ａ…モータ軸、３…連結部材、４…連結部材、５…ポンプ、６…回転軸、１１…軸受ケース、１２…継手、１３…軸受、１４…固定具、１５…伝達部、１６…継手、１６ａ…半円筒部材、１７…継手ケース、１８…挿通孔、１９…メカニカルシール、２０…インペラ、２１，２２…一対のシュラウド、２３…羽根、２４…吐出口、２５…吸込口、３０…ポンプケーシング、３０ａ…底部、３１…シール溝、３２…係合部、３３…被係合部、３５…開口部、３６…嵌合溝、３７…貫通孔、４０…ガイドベーン、４１…取付板、４１ａ…主面、４２…ベーン、４２ａ…側面、４３…挿通孔、４４…嵌合溝、４５…稜部、４６…副ベーン、５０…ライナリング、５１…軸受部材、５３…ライナリング本体、５４…カバー、５５…スリーブ、５６…軸受部、５７…止め輪、６０…流路カバー、６１…吸込口、６２…吐出口、６４…吐出流路部、Ｂ…ボルト、Ｓ…パッキン。
【図１】
2015028314.tif 000003
【図２】
2015028314.tif 000004
【図３】
2015028314.tif 000005
【図４】
2015028314.tif 000006
【図５】
2015028314.tif 000007
【図６】
2015028314.tif 000008